(57)【要約】【課題】  液体を燃料とするバーナで燃料漏れがあり、高温再生器の炉筒内に漏洩した液体燃料が溜まったときにはそれが検知できるようにする。【解決手段】  略全体が２重缶状に形成された本体部１０の背面側にオイルバーナ３０が設けられ、本体部１０の前面側に火炎形成部１５の底面１５Ａを懐中電灯４２により照射可能な透光窓４０と、オイルバーナ３０による火炎と底面１５Ａが視認可能な監視窓５０とを備えるようにした高温再生器。【選択図】      図１
2006162199.tif 000002
【特許請求の範囲】
【請求項１】
液体を燃料とするバーナを備えた吸収式冷凍機の高温再生器において、バーナの有底に形成された火炎形成部の底面に投光可能な透光窓と、火炎形成部の底面が視認可能な監視窓とを備えたことを特徴とする高温再生器。
【請求項２】
透光窓の外側に発光手段が添設されたことを特徴とする請求項１記載の高温再生器。
【請求項３】
透光窓と監視窓がバーナと対向する部位に設けられたことを特徴とする請求項１または２記載の高温再生器。
【請求項４】
火炎形成部が視認可能な部位に監視窓が設けられたことを特徴とする請求項１〜３何れかに記載の高温再生器。
【発明の詳細な説明】
【技術分野】
【０００１】
本発明は、重油などの液体燃料を燃焼させて熱源とする吸収式冷凍機（吸収冷温水機を含む）の高温再生器に係わるものである。
【背景技術】
【０００２】
この種の装置においては、燃料漏れがあると火災を引き起こしたり、土壌や河川等の汚染を引き起こすことになるので、例えば図６に示したように加熱手段であるオイルバーナ３０の下方位置に配置される油受け６１と、油受け６１内に設けられて油受け６１内に漏洩した油を検知する油漏洩センサ６２と、油漏洩センサ６２の検知に基づいて作動する油漏洩検知器６３と、オイルバーナ３０に油を供給する油燃料供給ラインに介設され、油漏洩検知器６３からの信号により制御される油遮断弁６４とからなる油漏洩検知システムが提案されている（例えば、特許文献１参照。）。なお、７０はボイラ本体、２０９は制御盤である。
【特許文献１】特開平０７−２３４１６９号公報
【発明の開示】
【発明が解決しようとする課題】
【０００３】
しかし、上記従来技術は油受けがボイラ本体の外部に設けられているので、ボイラ本体や高温再生器の炉筒内で燃料の油漏れが起きてもそれを検知することができないと云う問題点があり、その解決が課題となっていた。
【課題を解決するための手段】
【０００４】
液体を燃料とするバーナを備えた吸収式冷凍機の高温再生器において、バーナの有底に形成された火炎形成部の底面に投光可能な透光窓と、火炎形成部の底面が視認可能な監視窓とを備えたことを主要な特徴とする高温再生器である。
【発明の効果】
【０００５】
本発明によれば、漏洩した重油等の液体燃料が火炎形成部の底に溜まっているか否かを燃焼開始前に点検することできるので、燃焼停止中に液体燃料が漏洩して火炎形成部に溜まることがあっても、点火時に爆発することがなくなる。
【発明を実施するための最良の形態】
【０００６】
液体を燃料とするバーナを備えた吸収式冷凍機の高温再生器において、バーナの有底に形成された火炎形成部の底面に投光可能な透光窓と、火炎形成部の底面が視認可能な監視窓とを備えたことを主要な特徴とする高温再生器であり、透光窓と監視窓がバーナと対向する部位で、火炎形成部が視認可能な部位に設けられ、且つ、透光窓の外側に発光手段が添設された高温再生器である。
【実施例１】
【０００７】
以下、本発明の実施例を図１〜図５に基づいて詳細に説明する。なお、理解を容易にするため、これら図面においても前記図６で説明した部分と同様の機能を有する部分には、同一の符号を付した。
【０００８】
図１〜図５に例示した本発明の高温再生器１００においては、例えば重油を燃料とするオイルバーナ３０が本体部１０の背面側に取り付けられ、透光窓４０と監視窓５０とが本体部１０の前面側に設けられている。
【０００９】
本体部１０は、図４に例示したように略全体が２重缶状に形成され、外殻１１と内殻１２との間に形成された流体貯留部１３の上部を除く部分に、図示しない吸収液が貯留される。そして、流体貯留部１３にある吸収液がオイルバーナ３０で燃焼する重油の燃焼熱により加熱沸騰され、冷媒の生成（吸収液からの蒸発分離）と、吸収液の再生（濃縮）とが行われる。
【００１０】
なお、オイルバーナ３０による加熱により、吸収液から蒸発分離された冷媒は流体貯留部１３の上部に溜り、２重効用吸収式冷凍機の場合は低温再生器に熱源として供給され、冷媒を蒸発分離して再生された吸収液は高温熱交換器を経由して低温再生器に供給される。
【００１１】
本体部１０においては、内殻１２により囲繞形成された有底の火炎形成部１５が前後方向に設けられ、その後部側にバーナ取付口１４が開口し、そこにオイルバーナ３０が取り付けられている。
【００１２】
火炎形成部１５の前側は、火炎形成部１５の上側に前後方に形成された煙道１７の前端部に炉筒戻り室１６を介して連通し、煙道１７の後部側がオイルバーナ３０の上方に位置する煙突１８に連通している。
【００１３】
監視窓５０は、外殻１１と内殻１２とを貫通して本体部１０の前面側に取り付けられた筒状体５１に設けられている。筒状体５１は、オイルバーナ３０から霧状に前方に噴出された重油が燃焼してオイルバーナ３０の前方に形成される図示しない火炎と、火炎形成部１５の底面１５Ａの略中央付近からバーナ取付口１４側が視認可能に、オイルバーナ３０の方向に向けて取り付けられており、監視窓５０はその筒状体５１に設けられた図示しない耐熱性のガラスからなる。
【００１４】
なお、監視窓５０は、筒状体５１に取り付けられた板ガラスから構成されても良いし、望遠鏡のように複数のレンズにより構成することもできる。
【００１５】
透光窓４０も、筒状体４１に取り付けられた図示しない耐熱性のガラスからなる。そして、透光窓４０の筒状体４１は、図２に示したように本体部１０の前面側に着脱可能に螺子止めされた左右一対の点検蓋１９Ｌ、１９Ｒの一方の点検蓋１９Ｒに取り付けられている。
【００１６】
本体部１０の背面側の点検蓋１９Ｌ、１９Ｒが取り付けられる部分は、何れも外殻１１と内殻１２とが橋絡されて流体貯留部１３が閉塞されており、点検蓋１９Ｌ、１９Ｒを取り外しても流体貯留部１３にある吸収液が流出しないようになっている。
【００１７】
なお、本体部１０の内部に設けられた煙道１７は左右に分割されて設けられており、左右一対の点検蓋１９Ｌ、１９Ｒは左右に分割された煙道１７の何れかに臨んで取り付けられている。そして、筒状体４１は火炎形成部１５の底面１５Ａの前後方向の中央部分に向けて、前方から見て右側の点検窓１９Ｒに取り付けられている。
【００１８】
したがって、本発明の高温再生器１００においては、透光窓４０から火炎形成部１５の内部に懐中電灯４２の光を入れて底面１５Ａを照らしながら、監視窓５０を覗き込むことで、燃料である重油の火炎形成部１５内の漏洩を検出することができる。
【００１９】
すなわち、透光窓４０から火炎形成部１５に導入された懐中電灯４２の光は、底面１５Ａ側で反射するが、内殻１２が例えば耐熱性のステンレス鋼で作製され、その内面である底面１５Ａの上に重油が溜まっていないと、懐中電灯４２の光は燃焼熱に暴露されて梨地状になった底面１５Ａで乱反射し、反射光は拡散して弱くなるが、底面１５Ａの上にオイルバーナ３０から漏れ出た燃料の重油が溜まっていると、懐中電灯４２の光は重油の平らな液面で反射し、細くて強い反射光となるので、重油漏洩の有無が簡単に分かる。
【００２０】
特に、底面１５Ａの上に重油が溜まっておらず、したがって懐中電灯４２の光が底面１５Ａで乱反射するときには、懐中電灯４２を手持ちして僅かに振っても懐中電灯４２の光の反射光には大きな変化はないが、底面１５Ａの上に重油が溜まっていると強くて細い反射光が振れるので、懐中電灯４２を振らせることで液面の有無が容易に分かる。
【００２１】
本発明の高温再生器１００を、蒸発器２０１と吸収器２０２とからなる下胴２０３と、その上に載置された低温再生器２０４と凝縮器２０５とからなる上胴２０６に並設するときには、図５に示したように下胴２０３と上胴２０６から離れた側に、透光窓４０を備えた点検窓１９Ｒを取り付けるようにする。なお、図中２０７は低温熱交換器、２０８は高温熱交換器、２０９は２重効用吸収式冷凍機の制御盤である。
【００２２】
透光窓４０を上記のように取り付けることにより、監視窓５０から燃料漏れの有無を点検する際にも下胴２０３・上胴２０６が邪魔になることがない。
【００２３】
なお、本発明は上記実施例に限定されるものではないので、特許請求の範囲に記載の趣旨から逸脱しない範囲で各種の変形実施が可能である。
【００２４】
例えば、火炎形成部１５の底面１５Ａを照らす懐中電灯４２は、透光窓４０の外側に添設されても良い。その際、光軸が僅かに揺れるようにバネなどを用いて揺動可能に設置すると、漏れ出た重油等の液体燃料が火炎形成部１５の底面１５Ａに溜まっていると、強くて細い反射光が揺れるので、燃料漏れの有無が容易に分かる。
【図面の簡単な説明】
【００２５】
【図１】本発明の高温再生器を横方向から見た説明図である。
【図２】本発明の高温再生器を前方から見た説明図である。
【図３】本発明の高温再生器の要部を示す説明図であり、（Ａ）は透光窓取り付け部を内側から見た説明図、（Ｂ）は透光窓取り付け部を横方向から見た説明図である。
【図４】本発明の高温再生器を断面で示す説明図である。
【図５】本発明の高温再生器を用いて２重効用吸収式冷凍機を構成する際の機器の配置例を示す説明図であり、（Ａ）は制御盤が設置された前方から見た時の機器の説明図、（Ｂ）は後方から見た時の機器の説明図である。
【図６】従来技術を示す説明図である。
【符号の説明】
【００２６】
１０  本体部
１１  外殻
１２  内殻
１３  流体貯留部
１４  バーナ取付口
１５  火炎形成部
１５Ａ  底面
１６  炉筒戻り室
１７  煙道
１８  煙突
１９Ｌ、１９Ｒ  点検蓋
３０  オイルバーナ
４０  透光窓
４１  筒状体
４２  懐中電灯
５０  監視窓
５１  筒状体
１００  高温再生器
２０３  下胴
２０６  上胴
【図１】
2006162199.tif 000003
【図２】
2006162199.tif 000004
【図３】
2006162199.tif 000005
【図４】
2006162199.tif 000006
【図５】
2006162199.tif 000007
【図６】
2006162199.tif 000008